(57)【要約】【課題】コモン電極の電圧を切り替える際に、コモン電極電圧供給回路３０に流れる電流の大きさを抑える。【解決手段】画素１１０は、一端が画素電極に接続され、他端がコモン電極１０８に接続された液晶素子を含む。走査線駆動回路１４０は、１〜３２０行目の走査線１１２に順番に選択電圧を印加する。コモン電極電圧供給回路３０は、走査線に選択電圧が印加されるときに、コモン電極１０８に対して、低位側電圧または高位側電圧のいずれかのコモン信号Ｖcomを供給するとともに、走査線に選択電圧が印加されない帰線期間において低位側電圧または高位側電圧いずれか一方から他方に、ステップ的に変化させながら切り替える。データ線駆動回路１５０は、選択電圧が印加された走査線に対応する画素１１０に対し、当該画素の階調に応じた電圧であって、コモン電極１０８に印加される電圧に応じた極性のデータ信号を、データ線１１４を介して供給する。【選択図】図１
2009075298.tif 000002
【特許請求の範囲】
【請求項１】
複数の走査線と複数のデータ線との交差に対応して設けられ、各々は、
一端が前記データ線に接続されるとともに、前記走査線に選択電圧が印加されたときに
一端と他端との間が導通状態となる画素スイッチング素子と、
前記画素スイッチング素子の他端に接続された画素電極と、コモン信号が印加されるコ
モン電極との間に配置され、保持電圧に応じた階調となる液晶と、
を含む画素を有する電気光学装置の駆動回路であって、
前記複数の走査線に所定の順番で前記選択電圧を印加する走査線駆動回路と、
前記複数の走査線のうち、いずれかの走査線に選択電圧が印加されたときに、前記コモ
ン電極に対して、低位側または高位側のいずれかの電圧の前記コモン信号を供給するコモ
ン電極電圧供給回路と、
前記選択電圧が印加された走査線に対応する前記画素電極に対し、当該画素の階調に応
じた電圧であって、前記コモン電極に印加される電圧に応じた極性のデータ信号を、デー
タ線を介して供給するデータ線駆動回路と、
を具備し、
前記コモン電極電圧供給回路は、前記コモン信号を、所定の周期で低位側電圧または高
位側電圧いずれか一方から他方に、前記低位側電圧と前記高位側電圧の間の電圧を介して
切り替える
ことを特徴とする電気光学装置の駆動回路。
【請求項２】
前記コモン電極電圧供給回路は、
単一電源による電圧に基づいて前記低位側電圧および前記高位側電圧を生成するもので
あって、前記低位側電圧と前記高位側電圧の間の電圧として前記単一電源による電圧を用
いる
ことを特徴とする請求項１に記載の電気光学装置の駆動回路。
【請求項３】
複数の走査線と複数のデータ線との交差に対応して設けられ、各々は、
一端が前記データ線に接続されるとともに、前記走査線に選択電圧が印加されたときに
一端と他端との間が導通状態となる画素スイッチング素子と、
前記画素スイッチング素子の他端に接続された画素電極と、コモン信号が印加されるコ
モン電極との間に配置され、保持電圧に応じた階調となる液晶と、
を含む画素を有する電気光学装置の駆動方法であって、
前記複数の走査線に所定の順番で前記選択電圧を印加し、
前記複数の走査線のうち、いずれかの走査線に選択電圧を印加したときに、前記コモン
電極に対して、低位側または高位側のいずれかの電圧の前記コモン信号を供給するととも
に、前記コモン信号を、所定の周期で低位側電圧または高位側電圧いずれか一方から他方
に、前記低位側電圧と前記高位側電圧の間の電圧を介して切り替え、
前記選択電圧を印加した走査線に対応する前記画素電極に対し、当該画素の階調に応じ
た電圧であって、前記コモン電極に印加する電圧に応じた極性のデータ信号を、データ線
を介して供給する
ことを特徴とする電気光学装置の駆動方法。
【請求項４】
複数の走査線と複数のデータ線との交差に対応して設けられ、各々は、
一端が前記データ線に接続されるとともに、前記走査線に選択電圧が印加されたときに
一端と他端との間が導通状態となる画素スイッチング素子と、
前記画素スイッチング素子の他端に接続された画素電極と、コモン信号が印加されるコ
モン電極の間に配置され、保持電圧に応じた階調となる液晶と、
を含む画素と、
前記複数の走査線に所定の順番で前記選択電圧を印加する走査線駆動回路と、
前記複数の走査線のうち、いずれかの走査線に選択電圧が印加されたときに、前記コモ
ン電極に対して、低位側または高位側のいずれかの電圧の前記コモン信号を供給するコモ
ン電極電圧供給回路と、
前記選択電圧が印加された走査線に対応する画素に対し、当該画素の階調に応じた電圧
であって、前記コモン電極に印加される電圧に応じた極性のデータ信号を、データ線を介
して供給するデータ線駆動回路と、
を具備し、
前記コモン電極電圧供給回路は、前記コモン信号を、所定の周期で低位側電圧または高
位側電圧いずれか一方から他方に、前記低位側電圧と前記高位側電圧の間の電圧を介して
切り替える
ことを特徴とする電気光学装置。
【請求項５】
請求項４に記載の電気光学装置を有することを特徴とする電子機器。
【発明の詳細な説明】
【技術分野】
【０００１】
本発明は、電気光学装置において画素電極に対向するコモン電極の印加電圧を切り替え
る技術に関する。
【背景技術】
【０００２】
液晶などの電気光学装置では、走査線とデータ線との交差に対応して、画素電極とコモ
ン電極（対向電極）とで液晶を挟持した液晶素子が設けられるが、この液晶素子を交流駆
動する際にデータ線の電圧振幅を抑えて低消費電力化を図るため、走査線に選択電圧が印
加されたときに、当該コモン電極の電圧を、低位側電圧および高位側電圧に交互に切り替
える技術が提案されている（例えば特許文献１参照）。
【特許文献１】特開２００７−１０１５７０号公報
【発明の開示】
【発明が解決しようとする課題】
【０００３】
しかしながら、このような技術において、コモン電極に印加する電圧信号を生成する回
路では、電圧を切り替える際に比較的大きな電流が流れるために、このような大電流が流
れることを想定して回路設計しなければならない、という事情があった。
本発明は、このような事情に鑑みてなされたもので、その目的の一つは、コモン電極の
電圧を切り替える際に、コモン電極への電圧信号を生成する回路に電流の大きさを抑える
ことが可能な技術を提供することにある。
【課題を解決するための手段】
【０００４】
上記目的を達成するために本発明は、複数の走査線と複数のデータ線との交差に対応し
て設けられ、各々は、一端が前記データ線に接続されるとともに、前記走査線に選択電圧
が印加されたときに一端と他端との間が導通状態となる画素スイッチング素子と、前記画
素スイッチング素子の他端に接続された画素電極と、コモン信号が印加されるコモン電極
との間に配置され、保持電圧に応じた階調となる液晶と、を含む画素を有する電気光学装
置の駆動回路であって、前記複数の走査線に所定の順番で前記選択電圧を印加する走査線
駆動回路と、前記複数の走査線のうち、いずれかの走査線に選択電圧が印加されたときに
、前記コモン電極に対して、低位側または高位側のいずれかの電圧の前記コモン信号を供
給するコモン電極電圧供給回路と、前記選択電圧が印加された走査線に対応する画素に対
し、当該画素の階調に応じた電圧であって、前記コモン電極に印加される電圧に応じた極
性のデータ信号を、データ線を介して供給するデータ線駆動回路と、を具備し、前記コモ
ン電極電圧供給回路は、前記コモン信号を、所定の周期で低位側電圧または高位側電圧い
ずれか一方から他方に、前記低位側電圧と前記高位側電圧の間の電圧を介して切り替える
ことを特徴とする。本発明によれば、電圧切り替えが複数回に分けて実行されるので、コ
モン電極電圧供給回路に流れる電流の大きさを抑えることが可能となる。
【０００５】
本発明において、前記コモン電極電圧供給回路は、単一電源による電圧に基づいて前記
低位側電圧および前記高位側電圧を生成するものであって、前記低位側電圧と前記高位側
電圧の間の電圧として前記単一電源による電圧を用いる構成が好ましい。この構成によれ
ば、電圧切り替えに用いる電圧を別途生成する必要がないので、構成の簡易化を図ること
が可能となる。
なお、本発明は、電気光学装置の駆動回路のみならず、電気光学装置、電気光学装置の
駆動方法、さらには、当該電気光学装置を有する電子機器としても概念することが可能で
ある。
【発明を実施するための最良の形態】
【０００６】
以下、本発明の実施の形態について図面を参照して説明する。図１は、本発明の第１実
施形態に係る電気光学装置の構成を示すブロック図である。
この図に示されるように、電気光学装置１０は、表示領域１００を有し、この表示領域
１００の周辺に、制御回路２０、コモン電極電圧供給回路３０、走査線駆動回路１４０お
よびデータ線駆動回路１５０が配置した構成となっている。
【０００７】
表示領域１００は、画素１１０が配列する領域であり、本実施形態では、３２０行の走
査線１１２が行（Ｘ）方向に延在するように、また、２４０列のデータ線１１４が列（Ｙ
）方向に延在するように、それぞれ設けられている。そして、これらの１〜３２０行目の
走査線１１２と１〜２４０列目のデータ線１１４との交差に対応して、画素１１０がそれ
ぞれ配列している。したがって、本実施形態では、表示領域１００において画素１１０が
縦３２０行×横２４０列のマトリクス状に配列することになるが、本発明を当該配列に限
定する趣旨ではない。
また、本実施形態では、コモン電極１０８には、コモン電極電圧供給回路３０によるコ
モン信号Ｖcomが供給されており、すべての画素１１０にわたって共用されている。
【０００８】
画素１１０の詳細な構成について説明する。図２は、画素１１０の構成を示す図であり
、ｉ行及びこれに下方向で隣接する（ｉ＋１）行と、ｊ列及びこれに右方向で隣接する（
ｊ＋１）列との交差に対応する２×２の計４画素分の構成が示されている。
ここで、ｉ、（ｉ＋１）は、画素１１０が配列する行を一般的に示す場合の記号であっ
て、いずれも１以上３２０以下の整数である。また、ｊ、（ｊ＋１）は、画素１１０が配
列する列を一般的に示す場合の記号であって、いずれも１以上２４０以下の整数である。
【０００９】
図２に示されるように、各画素１１０は、画素スイッチング素子として機能するｎチャ
ネル型の薄膜トランジスタ（thin film transistor：以下単に「ＴＦＴ」と略称する）１
１６と、液晶素子１２０と、蓄積容量１３０とを有する。各画素１１０については、本実
施形態では互いに同一構成なので、ｉ行ｊ列に位置するもので代表して説明すると、当該
ｉ行ｊ列の画素１１０において、ＴＦＴ１１６のゲート電極はｉ行目の走査線１１２に接
続される一方、そのソース電極はｊ列目のデータ線１１４に接続され、そのドレイン電極
は画素電極１１８にそれぞれ接続されている。
【００１０】
コモン電極１０８は、すべての画素電極１１８に対向するように設けられており、画素
電極１１８との間で液晶１０５を挟持する。したがって、画素毎に、画素電極１１８、コ
モン電極１０８および液晶１０５からなる液晶素子１２０が構成される。
なお、本実施形態では、液晶素子１２０を透過型とした場合、画素電極１１８とコモン
電極１０８との間を通過する光の透過率は、液晶素子に保持される電圧の実効値がゼロで
あれば最小の黒となる一方、当該実効値が大きくなるにつれて、透過率が増加して明るく
なるノーマリーブラックモードに設定される。このため、バックライトユニット（図示省
略）よって照射された光は、画素毎に、液晶素子１２０に保持された電圧の実効値に応じ
た比率で出射する。
また、ＴＦＴ１１６のオフリークによって、液晶素子１２０に保持された電圧が減少す
るのを抑えるために、蓄積容量１３０が画素毎に形成されている。この蓄積容量１３０の
一端は、画素電極１１８（ＴＦＴ１１６のドレイン）に接続される一方、その他端は、コ
モン電極１０８に接続されている。
【００１１】
説明を再び図１に戻すと、制御回路２０は、各種制御信号を出力して、コモン電極電圧
供給回路３０、走査線駆動回路１４０およびデータ線駆動回路１５０の各部をそれぞれ制
御するものである。
走査線駆動回路１４０は、１フレームの期間において走査信号Ｙ１、Ｙ２、Ｙ３、…、
Ｙ３２０を、それぞれ１、２、３、…、３２０行目の走査線１１２に供給する。詳細には
、走査線駆動回路１４０は、図４に示されるように、１フレームの期間において走査線１
１２を１行ずつ図１において上から数えて１、２、３、…、３２０行目という順番で水平
走査期間Ｈ毎に選択し、選択した走査線への走査信号を、水平有効期間ＨaにおいてＨレ
ベルに相当する選択電圧Ｖghとし、それ以外の走査線への走査信号をＬレベルに相当する
非選択電圧Ｖglとする。
なお、本実施形態において１フレームとは、１枚の画像を表示させるのに要する期間を
いい、図４に示されるように、１行目の走査線が選択されてから３２０行目の走査線が選
択されるまでの垂直有効走査期間Ｆaと、この垂直走査期間Ｆaを除いた垂直帰線期間Ｆb
とに分けられる。
【００１２】
データ線駆動回路１５０は、走査線駆動回路１４０により選択電圧が印加された走査線
１１２に位置する画素１１０に対し、画素の階調に応じた電圧であって、極性指定信号Ｐ
olで指定された書込極性に応じた電圧のデータ信号を、データ線１１４に供給するもので
ある。
データ線駆動回路１５０は、縦３２０行×横２４０列の画素マトリクス配列に対応した
記憶領域（図示省略）を有し、各記憶領域には、それぞれに対応する画素１１０の階調値
（明るさ）を指定する表示データＤaが記憶される。ここで、データ線駆動回路１５０は
、ある走査線１１２に選択電圧が印加される直前において、当該走査線１１２に位置する
画素１１０の表示データＤaを記憶領域から読み出すとともに、当該読み出した表示デー
タで指定された階調および書込極性に応じた電圧に変換し、選択電圧が印加されるタイミ
ングに合わせてデータ信号としてデータ線１１４に供給する。この供給動作を、データ線
駆動回路１５０は、選択される走査線１１２に位置する１〜２４０列のそれぞれについて
実行する。
なお、記憶領域に記憶される表示データＤaは、表示内容に変更が生じた場合に、外部
上位回路（図示省略）から書込アドレスとともに変更後の表示データＤaが供給されて書
き換えられる。
また、表示データＤaで指定される値の十進値が「０」のときに最低階調の黒色を指定
し、以後当該十進値が増加するにつれて明るい階調を指定するとした場合、本実施形態は
ノーマリーブラックモードであるから、液晶素子１２０に保持される電圧実効値は、表示
データＤaで指定される値が増加するにつれて大きくなる関係となる。
【００１３】
極性指定信号Ｐolは、液晶素子１２０に対する書込極性を指定する信号であり、Ｈレベ
ルであれば、画素電極１１８の電位をコモン電極１０８よりも高電位とさせる正極性書込
を指定し、Ｌレベルであれば、画素電極１１８の電位をコモン電極１０８よりも低電位と
させる負極性書込を指定する。
本実施形態において極性指定信号Ｐolは、図４に示されるように、あるフレーム（「ｎ
フレーム」と表記）の期間において、奇数（１、３、５、…、３１９）行目の走査線が選
択される水平走査期間ＨにおいてＨレベルとなり、偶数（２、４、６、…、３２０）行目
の走査線が選択される水平走査期間ＨにおいてＬレベルとなる。このため、本実施形態で
は、画素への書き込み極性が１行毎に反転する行反転（ライン反転、走査線反転ともいう
）方式となる。
なお、極性指定信号Ｐolは、次のフレーム（「（ｎ＋１）フレーム」と表記）では、同
一行で比較したときに論理反転するが、このように書込極性を反転する理由は、直流成分
の印加による液晶１０５の劣化を防止するためである。
【００１４】
次に、コモン電極電圧供給回路３０について説明する。図３は、コモン電極電圧供給回
路３０の構成を示すブロック図である。
この図において、電圧生成回路３２は、負極を基準電位Ｇndとし、正極を電圧Ｖddとす
る単一電源３１から、例えばチャージポンプ回路等によって正側に２倍に昇圧した電圧２
Ｖdd、および、負側に降圧した電圧−Ｖddを生成するものである。
電圧生成回路３３は、電圧２Ｖddを電源として、電圧Ｖddよりも高く、電圧２Ｖddより
も低い電圧ＶcomHを生成する。電圧生成回路３４は、電圧−Ｖddを電源として、電圧−Ｖ
ddよりも高く、電位Ｇndよりも低い電圧ＶcomLを生成する。
【００１５】
スイッチ３５、３６、３７は、いずれも双投型である。このうち、スイッチ３５におい
て、入力端子ａには電圧ＶcomHが印加され、入力端子ｂには電圧Ｖddが印加される一方、
出力端子ｃは、スイッチ３７の入力端子ａに接続されている。スイッチ３６において、入
力端子ａは電位Ｇndに保たれ、入力端子ｂには電圧−Ｖddが印加される一方、出力端子ｃ
は、スイッチ３７の入力端子ｂに接続されている。そして、スイッチ３７の出力端子ｃが
コモン電極電圧供給回路３０の出力端であり、当該出力端子ｃからコモン信号Ｖcomが出
力される。
【００１６】
このようなコモン電極電圧供給回路３０では、制御回路２０によってスイッチ３５、３
６、３７が次のように制御される。
すなわち、コモン電極電圧供給回路３０では、図４に示されるように、極性指定信号Ｐ
olがＬレベルとなって負極性書込が指定される水平走査期間Ｈのうち、水平走査有効期間
Ｈaでは状態ａとなり、水平走査帰線期間Ｈbでは、状態ａ、状態ｂ、状態ｃ、状態ｄとい
う順番で変化する一方、極性指定信号ＰolがＨレベルとなって正極性書込が指定される水
平走査期間Ｈのうち、水平走査有効期間Ｈaでは状態ｄとなり、その水平走査帰線期間Ｈb
では、状態ｄ、状態ｃ、状態ｂ、状態ａという順番で変化する。
【００１７】
ここで、状態ａ、ｂ、ｃ、ｄにおけるスイッチ３５、３６、３７の選択は、図５におい
てそれぞれ（ａ）、（ｂ）、（ｃ）、（ｄ）に示される。詳細には、状態ａでは、スイッ
チ３５が入力端子ａを、スイッチ３７が入力端子ａを、それぞれ選択するように制御され
るので、コモン信号Ｖcomは電圧ＶcomHとなる。状態ｂでは、スイッチ３５が入力端子ｂ
を、スイッチ３７が入力端子ａを、それぞれ選択するように制御されるので、コモン信号
Ｖcomは電圧Ｖddとなる。状態ｃでは、スイッチ３６が入力端子ａを、スイッチ３７が入
力端子ｂを、それぞれ選択するように制御されるので、コモン信号Ｖcomは電位Ｇndとな
る。状態ｄでは、スイッチ３６が入力端子ｂを、スイッチ３７が入力端子ｂを、それぞれ
選択するように制御されるので、コモン信号Ｖcomは電圧ＶcomLとなる。
【００１８】
したがって、コモン信号Ｖcomは、図４に示されるように、極性指定信号ＰolがＬレベ
ルとなって負極性書込が指定される水平走査期間Ｈのうち、水平走査有効期間Ｈaでは電
圧ＶcomHとなり、その水平走査帰線期間Ｈbでは、電圧ＶcomH、Ｖdd、電位Ｇnd、電圧Ｖc
omLという順番で階段（ステップ）状に変化する一方、極性指定信号ＰolがＨレベルとな
って正極性書込が指定される水平走査期間Ｈのうち、水平走査有効期間Ｈaでは電圧Ｖcom
Lとなり、その水平走査帰線期間Ｈbでは、電圧ＶcomL、電位Ｇnd、電圧Ｖdd、ＶcomHとい
う順番で階段状に変化する。
【００１９】
次に、本実施形態に係る電気光学装置１０の動作について説明する。
上述したように本実施形態では、ｎフレームにおいて、最初に１行目の走査線１１２が
選択される。１行目の走査線１１２が選択される水平走査期間Ｈのうち、水平走査有効期
間Ｈaにわたって走査信号Ｙ１がＨレベルに相当する電圧Ｖghとなる。また、ｎフレーム
において奇数行では正極性書込が指定されるので、走査信号Ｙ１がＨレベルとなる水平有
効走査期間Ｈaにおいて、コモン信号Ｖcomは電圧ＶcomLとなる。さらに、ｎフレームにお
いて走査信号Ｙ１がＨレベルとなるとき、データ線駆動回路１５０は、１行目であって１
、２、３、…、２４０列目の画素の表示データＤaで指定された電圧だけ、電圧ＶcomLを
基準に高位側とした電圧のデータ信号Ｘ１、Ｘ２、Ｘ３、…、Ｘ２４０を、それぞれ１、
２、３、…、２４０列のデータ線１１４に供給する。これにより例えば、ｊ列目のデータ
線１１４に供給されるデータ信号Ｘｊは、１行ｊ列の画素１１０の表示データＤaで指定
された階調値が増加するにつれて、電圧ＶcomLよりも高位側とした電圧となる。
走査信号Ｙ１がＨレベルになると、１行１列〜１行２４０列の画素におけるＴＦＴ１１
６がオンするので、これらの画素電極１１８には、データ信号Ｘ１、Ｘ２、Ｘ３、…、Ｘ
２４０が印加される。
したがって、１行１列〜１行２４０列の液晶素子１２０および蓄積容量１３０の並列容
量には、データ信号の電圧とコモン信号Ｖcomの電圧ＶcomLとの差電圧、すなわち階調値
に応じた正極性の電圧が書き込まれることになる。
【００２０】
続いて、１行目の走査線１１２が選択される水平走査期間Ｈにおいて水平帰線期間Ｈb
に移行して走査信号Ｙ１がＬレベルになる。ｎフレームにおいて１行目の走査線が選択さ
れる水平走査期間Ｈでは正極性書込が指定されるので、走査信号Ｙ１がＬレベルになった
直後の水平走査帰線期間Ｈbにおいて、コモン信号Ｖcomは、当該水平走査帰線期間Ｈbに
おいて、電圧ＶcomL、電位Ｇnd、電圧Ｖdd、ＶcomHという順番で階段状に変化する。
一方、走査信号Ｙ１がＬレベルになると、１行１列〜１行２４０列の画素におけるＴＦ
Ｔ１１６がオフするので、１行１列〜１行２４０列の各画素１１０にあっては、それぞれ
画素電極１１８がフローティング状態となる。このため、１行１列〜１行２４０列の画素
電極１１８は、コモン電極１０８の電圧変化に対して同方向に同量で変化するので、書き
込まれた差電圧に影響を与えることはない。
【００２１】
次に、ｎフレームにおいて、２行目の走査線１１２が選択される。２行目の走査線１１
２が選択される水平走査期間Ｈのうち、水平走査有効期間Ｈaにわたって走査信号Ｙ２が
Ｈレベルとなる。また、ｎフレームにおいて偶数行では負極性書込が指定されるので、走
査信号Ｙ２がＨレベルとなる水平有効走査期間Ｈaにおいて、コモン信号Ｖcomは電圧Ｖco
mHを維持する。
さらに、走査信号Ｙ２がＨレベルとなるとき、データ線駆動回路１５０は、２行目であ
って１、２、３、…、２４０列目の画素の表示データＤaで指定された電圧だけ、電圧Ｖc
omHを基準に低位側とした電圧のデータ信号Ｘ１、Ｘ２、Ｘ３、…、Ｘ２４０を、それぞ
れ１、２、３、…、２４０列のデータ線１１４に供給する。これにより例えば、ｊ列目の
データ線１１４に供給されるデータ信号Ｘｊは、２行ｊ列の画素１１０の表示データＤa
で指定された階調値が増加するにつれて、電圧ＶcomHよりも低位側とした電圧となる。
走査信号Ｙ２がＨレベルになると、２行１列〜２行２４０列の画素におけるＴＦＴ１１
６がオンするので、これらの画素電極１１８には、データ信号Ｘ１、Ｘ２、Ｘ３、…、Ｘ
２４０が印加される。
したがって、２行１列〜２行２４０列の液晶素子１２０および蓄積容量１３０の並列容
量には、データ信号の電圧とコモン信号Ｖcomの電圧ＶcomHとの差電圧、すなわち階調値
に応じた負極性の電圧が書き込まれることになる。
【００２２】
続いて、２行目の走査線１１２が選択される水平走査期間Ｈにおいて水平帰線期間Ｈb
に移行して走査信号Ｙ２がＬレベルになる。ｎフレームにおいて２行目の走査線が選択さ
れる水平走査期間Ｈでは負極性書込が指定されるので、走査信号Ｙ２がＬレベルになった
直後の水平走査帰線期間Ｈbにおいて、コモン信号Ｖcomは、当該水平走査帰線期間Ｈbに
おいて、電圧ＶcomH、Ｖdd、電位Ｇnd、電圧ＶcomLという順番で階段状に変化する。
一方、走査信号Ｙ２がＬレベルになると、２行１列〜２行２４０列の画素におけるＴＦ
Ｔ１１６がオフするので、２行１列〜２行２４０列の各画素１１０にあっては、それぞれ
画素電極１１８がフローティング状態となる。このため、２行１列〜２行２４０列の画素
電極１１８は、コモン電極１０８の電圧変化に対して同方向に同量で変化するので、書き
込まれた差電圧に影響を与えることはない。
【００２３】
ｎフレームにおいては、以降同様な動作が繰り返され、奇数行では、階調値に応じた正
極性の電圧が書き込まれて保持され、偶数行では、階調値に応じた負極性の電圧が書き込
まれて保持される。次の（ｎ＋１）フレームにおいても同様な動作が繰り返されるが、極
性指定信号Ｐolの論理レベルが反転するので、奇数行では、階調値に応じた負極性の電圧
が書き込まれて保持され、偶数行では、階調値に応じた正極性の電圧が書き込まれて保持
される。
【００２４】
図６は、ｊ列目のデータ線１１４に供給されるデータ信号Ｘｊの電圧波形について、走
査信号Ｙｉ、Ｙ（ｉ＋１）との関係において示す図である。
ｉ行目の走査線が選択される水平走査期間Ｈにおいて極性指定信号ＰolがＬレベルとな
って負極性書込が指定されている場合、走査信号ＹｉがＨレベルとなる水平走査期間Ｈa
ではコモン電極１０８に供給されるコモン信号Ｖcomが電圧ＶcomHとなる。ｊ列目のデー
タ線１１４には、当該電圧ＶcomHよりも、ｉ行ｊ列の画素の階調に応じた電圧だけ低位側
の電圧（図６において↓で示される）のデータ信号Ｘｊが供給される。これにより、ｉ行
ｊ列の液晶素子１２０および蓄積容量１３０の並列容量においては、データ信号Ｘｊの電
圧とコモン電極１０８の電圧ＶcomHとの差電圧、すなわち、階調に応じた負極性電圧が書
き込まれることになる。
【００２５】
次の（ｉ＋１）行目の走査線が選択される水平走査期間Ｈでは、極性指定信号Ｐolが論
理反転してＨレベルとなり正極性書込が指定されるので、走査信号Ｙ（ｉ＋１）がＨレベ
ルとなる水平走査期間Ｈaではコモン信号Ｖcomが電圧ＶcomLとなる。ｊ列目のデータ線１
１４には、当該電圧ＶcomLよりも、（ｉ＋１）行ｊ列の画素の階調に応じた電圧だけ高位
側の電圧（図６において↑で示される）のデータ信号Ｘｊが供給される。これにより、（
ｉ＋１）行ｊ列の液晶素子１２０および蓄積容量１３０の並列容量においては、データ信
号Ｘｊの電圧とコモン電極１０８の電圧ＶcomLとの差電圧、すなわち、階調に応じた正極
性電圧が書き込まれることになる。
【００２６】
本実施形態によれば、負極性書込が指定される水平走査有効期間Ｈaでは、コモン電極
１０８は、相対的に高い電圧ＶcomHとなって、この電圧よりも階調に応じた電圧だけ低位
側の電圧がデータ信号として供給される一方、正極性書込が指定される水平走査有効期間
Ｈaでは、コモン電極１０８は、相対的に低い電圧ＶcomLとなって、この電圧よりも階調
に応じた電圧だけ高位側の電圧がデータ信号として供給される。
したがって、データ信号の電圧振幅は、コモン電極１０８の電圧を一定とした場合と比
較して狭くなるので、データ線駆動回路１５０に要求される耐圧性が低く抑えられて、そ
の分構成の簡易化を図ることができるとともに、電圧変化によって無駄に消費される電力
を抑えることも可能となる。
【００２７】
さらに、本実施形態では、コモン電極１０８に供給されるコモン信号Ｖcomは、負極性
書込が指定されている場合には電圧ＶcomHであり、正極性書込が指定されている場合には
電圧ＶcomLである。このときの電圧の切り替えは、本実施形態では、電圧ＶcomHから電圧
ＶcomLについては、ＶcomH→Ｖdd→電位Ｇnd→ＶcomLという順番で段階的であり、電圧Ｖ
comLから電圧ＶcomHについても、ＶcomL→電位Ｇnd→Ｖdd→ＶcomHという順番で段階的で
ある。
これにより、本実施形態では、電圧ＶcomH、ＶcomLのいずれか一方から他方へ１回で切
り替える構成と比較すると、電圧切り替えに伴う電流変化量が小さくて済むので、コモン
電極電圧供給回路３０における回路設計を容易とすることが可能となる。
【００２８】
この点について詳述すると、図７（ｂ）に示されるように、電圧ＶcomH、ＶcomLのいず
れか一方から他方へ１回で切り替える従来構成では、出力側の電圧変化量が大きくなって
、単一電源３１から電圧生成回路３２に流入する電流Ｉdにおいて、電圧切り替えに伴う
変化量の最大値Ｉmaxは大きくなる。このため、電圧生成回路３２における各部について
は、大きくなった最大値Ｉmaxに対応するように回路設計する必要がある。
これに対して、本実施形態では、図７（ａ）に示されるように、電圧ＶcomH、ＶcomLの
いずれか一方から他方へは、途中で電圧Ｖdd、電圧ゼロ（電位Ｇnd）に階段状に切り替え
るので、出力側の電圧変化量が小さくなって、電圧切り替えに伴う電流Ｉdの変化量の最
大値Ｉmaxは小さくなる。このため、電圧生成回路３２における各部については、小さく
なった最大値Ｉmaxを対応すれば良いので、回路設計が容易となるのである。
【００２９】
さらに、本実施形態において、階段状に切り替える際の電圧は、別途生成したものでは
なく、電圧Ｖcom H、ＶcomLを生成する際に用いた単一電源３１の電圧（電位）であり、
実質的に必要となるのは、スイッチ３５、３６で済むので、簡易な構成で済む。
【００３０】
なお、上述した実施形態では、液晶素子１２０の交流駆動に際し、１行毎に書込極性を
反転させた行反転方式としたが、１〜３２０行の書込極性を同一としたフレーム反転（面
反転ともいう）方式としても良い。
フレーム反転方式とする場合には、図８に示されるように、極性指定信号Ｐolは、ｎフ
レームの全域にわたってＨレベルとなって正極性書込を指定するとき、次の（ｎ＋１）フ
レームの全域にわたってＬレベルとなって負極性書込を指定する。
このとき、コモン電極電圧供給回路３０については、コモン信号Ｖcomを、正極性書込
が指定されたフレームの期間のうち、垂直走査帰線期間Ｆbにおいて、電圧ＶcomL→ゼロ
（Ｇnd）→Ｖdd→ＶcomHという順番で段階的に切り替える一方、負極性書込が指定された
フレームの期間のうち、垂直走査帰線期間Ｆbにおいて、電圧ＶcomH→Ｖdd→ゼロ（Ｇnd
）→ＶcomLという順番で段階的に切り替えるように構成すれば良い。
【００３１】
また、実施形態では、コモン電極１０８を全画素１１０に対して共用したが、走査線の
所定行毎に、例えば１行毎にコモン電極を共用して、走査線の選択電圧印加期間以外にお
いて電圧を階段状に切り替える構成としても良い。
さらに、実施形態では、液晶素子１２０をノーマリーブラックモードとしたが、電圧無
印加状態において明るい状態となるノーマリーホワイトモードとしても良い。また、Ｒ（
赤）、Ｇ（緑）、Ｂ（青）の３画素で１ドットを構成して、カラー表示を行うとしても良
いし、さらに、別の１色（例えばエメラルドグリーン（Ｅg））を追加し、これらの４色
の画素で１ドットを構成して、色再現性を向上させる構成としても良い。
【００３２】
＜電子機器＞
次に、上述した実施形態に係る電気光学装置１０を表示装置として有する電子機器の例
について説明する。
図９は、実施形態に係る電気光学装置１０を用いた携帯電話１２００の構成を示す図で
ある。この図に示されるように、携帯電話１２００は、複数の操作ボタン１２０２のほか
、受話口１２０４、送話口１２０６とともに、上述した電気光学装置１０を備える。
なお、電気光学装置１０が適用される電子機器としては、図９に示した携帯電話の他に
も、デジタルスチルカメラ、ノートパソコン、液晶テレビ、ビデオレコーダ、カーナビゲ
ーション装置、ページャ、電子手帳、電卓、ワードプロセッサ、ワークステーション、テ
レビ電話、ＰＯＳ端末、タッチパネル等などの機器が挙げられる。そして、これらの各種
電子機器の表示装置として、上述した電気光学装置１０が適用可能であることは言うまで
もない。
【図面の簡単な説明】
【００３３】
【図１】本発明の実施形態に係る電気光学装置の構成を示すブロック図である。
【図２】上記電気光学装置における画素の構成を示す図である。
【図３】上記電気光学装置の対向電極電圧供給回路の構成を示す図である。
【図４】上記電気光学装置の動作を示すタイミングチャートである。
【図５】上記電気光学装置の対向電極電圧供給回路の動作を示す図である。
【図６】上記電気光学装置におけるデータ信号の電圧波形例を示す図である。
【図７】上記対向電極電圧供給回路における突入電流の大きさを示す図である。
【図８】同電気光学装置の別動作を示すタイミングチャートである。
【図９】同電気光学装置を適用した携帯電話機の構成を示す図である。
【符号の説明】
【００３４】
１０…電気光学装置、２０…制御回路、３０…コモン電極電圧供給回路、３２…電圧生成
回路、３５〜３７…スイッチ、１００…表示領域、１０８…コモン電極、１１０…画素、
１１２…走査線、１１４…データ線、１１６…ＴＦＴ、１２０…液晶素子、１３０…蓄積
容量、１４０…走査線駆動回路、１５０…データ線駆動回路、１２００…携帯電話
【図１】
2009075298.tif 000003
【図２】
2009075298.tif 000004
【図３】
2009075298.tif 000005
【図４】
2009075298.tif 000006
【図５】
2009075298.tif 000007
【図６】
2009075298.tif 000008
【図７】
2009075298.tif 000009
【図８】
2009075298.tif 000010
【図９】
2009075298.tif 000011